(57)【要約】【課題】低コストでありながら、耐久性の高いウェハ裏面のパーティクル及び傷を低減するプラズマ処理方法、及び、この方法を適用したプラズマ処理装置を提供する。【解決手段】プラズマ処理するウェハ１６を静電チャック１８上に載置した後、不活性ガスを供給し、不活性ガスにＲＦパワーを掛けることでプラズマを形成し、プラズマからの輻射熱を用いて処理前にウェハ１６を加熱し、ウェハ１６の温度がプラズマ処理時のウェハ熱平衡温度に達したときに、静電チャック１８にウェハ１６を吸着させて保持し、プラズマ処理ガスを導入してプラズマ処理を行う。【選択図】図２
2007217733.tif 000002
【特許請求の範囲】
【請求項１】
プラズマ処理対象であるウェハを密閉空間を形成するチャンバの内部の静電チャックからなる保持手段に保持させ、前記チャンバ内部に不活性ガス、又は、プラズマ処理ガスのうち少なくとも一方を供給し、ＲＦ電源から供給されるＲＦパワーに基づき前記チャンバ内にＲＦ周波数の電磁波を入射して前記不活性ガス、又は、前記プラズマ処理ガスのうち少なくとも一方のプラズマを形成し、前記ウェハをプラズマ処理するプラズマ処理方法において、
プラズマ処理するウェハを静電チャック上に載置した後、不活性ガスを供給し、前記不活性ガスにＲＦパワーを掛けることでプラズマを形成し、前記プラズマからの輻射熱を用いて処理前にウェハを加熱し、前記ウェハの温度がプラズマ処理時のウェハ熱平衡温度に達したときに、静電チャックにウェハを吸着させて保持し、プラズマ処理ガスを導入してプラズマ処理を行う
ことを特徴とするプラズマ処理方法。
【請求項２】
請求項１に記載するプラズマ処理方法において、
前記不活性ガスにＲＦ電源から供給するＲＦパワーはプラズマ処理時と同じ出力である
ことを特徴とするプラズマ処理方法。
【請求項３】
請求項１に記載するプラズマ処理方法において、
前記不活性ガスにＲＦ電源から供給するＲＦパワーはプラズマ処理時より高い出力である
ことを特徴とするプラズマ処理方法。
【請求項４】
請求項１ないし請求項３のいずれかに記載するプラズマ処理方法において、
前記ウェハを前記ウェハ保持手段に保持させる前にプラズマ処理を開始し、前記ウェハの温度がプラズマ処理時の前記ウェハの熱平衡温度に達したときに前記ウェハを前記ウェハ保持手段に保持させる
ことを特徴とするプラズマ処理方法。
【請求項５】
請求項１ないし請求項４のいずれかに記載するプラズマ処理方法において、
前記ウェハをプラズマ処理時よりプラズマ領域に接近させて昇温させる
ことを特徴とするプラズマ処理方法。
【請求項６】
請求項１ないし請求項５のいずれかに記載するプラズマ処理方法において、
前記ウェハの温度を非接触で測定する
ことを特徴とするプラズマ処理方法。
【請求項７】
プラズマを発生させるプラズマ発生手段と、
プラズマ処理対象であるウェハを保持して冷却するウェハ保持手段と、
前記ウェハにバイアス電圧を印加するバイアス電圧印加手段と、
前記プラズマ発生手段とウェハ保持手段とバイアス電圧印加手段とを制御して、前記ウェハを前記プラズマ発生手段で発生させたプラズマで昇温させ、前記ウェハの温度がプラズマ処理時の前記ウェハの熱平衡温度に達したとき、前記ウェハ保持部材で前記ウェハを保持して冷却し、前記バイアス電圧印加手段で前記ウェハにバイアス電圧を印加してプラズマ処理を行わせる制御手段とを備えた
ことを特徴とするプラズマ処理装置。
【請求項８】
請求項７に記載するプラズマ処理装置において、
前記制御手段は、前記ウェハを昇温させるときの前記プラズマ発生手段の出力をプラズマ処理時と同じ出力とする
ことを特徴とするプラズマ処理装置。
【請求項９】
請求項７に記載するプラズマ処理装置において、
前記制御手段は、前記ウェハを昇温させるときの前記プラズマ発生手段の出力をプラズマ処理時より高い出力とする
ことを特徴とするプラズマ処理装置。
【請求項１０】
請求項７ないし請求項９のいずれかに記載するプラズマ処理装置において、
前記制御手段は、前記ウェハ保持部材で前記ウェハを保持して冷却する前に、前記バイアス電圧印加手段で前記ウェハにバイアス電圧を印加してプラズマ処理を行う
ことを特徴とするプラズマ処理装置。
【請求項１１】
請求項７ないし請求項１０のいずれかに記載するプラズマ処理装置において、
前記ウェハ保持手段の高さを昇降させる昇降手段を備え、
前記制御手段は、前記昇降手段を上昇させて前記ウェハをプラズマ処理時よりプラズマ領域に接近させて昇温する
ことを特徴とするプラズマ処理装置。
【請求項１２】
請求項７ないし請求項１１のいずれかに記載するプラズマ処理装置において、
前記ウェハの温度を非接触で測定する測定装置を備えた
ことを特徴とするプラズマ処理装置。
【請求項１３】
請求項７ないし請求項１２のいずれかに記載するプラズマ処理装置において、
前記ウェハ保持手段は表面が凹凸状である
ことを特徴とするプラズマ処理装置。
【発明の詳細な説明】
【技術分野】
【０００１】
本発明は、半導体ウェハ上に成膜、又は、半導体ウェハのエッチングを行うプラズマ処理方法、及び、プラズマ処理装置に関する。
【背景技術】
【０００２】
従来、プラズマ処理装置において、有機材料を用いたマイクロマシン等が構築されたウェハをプラズマ処理する場合には、有機材料の耐熱性の観点から低温でのプラズマ処理が要求される。このため、ウェハの温度上昇を伴うプラズマ処理において低温プラズマ処理を行うには、プラズマ処理中のウェハの冷却が重要となる。
【０００３】
一般にウェハを冷却する方法として、ウェハとウェハを保持する静電チャックとを接触させてウェハを冷却する方法と、ウェハの裏面と静電チャックの表面との間にヘリウムガス等の熱伝導率の高いガスを導入してウェハを冷却する方法とがある。これらの方法においては、ウェハと静電チャックとは、全面又は一部で直接接触することとなる。
【０００４】
上記の方法を適用した従来のプラズマ処理方法について図１１を用いて説明する。図１１中のグラフでは、横軸は時間（ｔ０）を示し、縦軸はウェハの温度、ＲＦ電源の出力、ＬＦ電源の出力及び静電チャック電源の出力を示す。
【０００５】
時間（０≦ｔ０＜ｔ０ａ）において、ガスノズルからは不活性ガスが導入されている。その時の、ＲＦパワーはプラズマを安定して維持できる程度の出力となっており、ウェハの搬入及び搬出等はこの状態で行われる。
【０００６】
時間（ｔ０ａ≦ｔ０＜ｔ０ｂ）において、ＲＦ電源はプラズマ処理時と同じ出力となっており、ガスノズルからは不活性ガスが導入されている。
【０００７】
時間（ｔ０ｂ≦ｔ０＜ｔ０ｃ）において、ＲＦ電源、及び、静電チャック電源はプラズマ処理時と同じ出力となっており、ガスノズルからは不活性ガスが導入されている。このとき、静電チャックにウェハが保持されプラズマ処理を開始できる状態となる。
【０００８】
時間（ｔ０ｃ≦ｔ０）において、ＲＦ電源、ＬＦ電源、及び、静電チャック電源はプラズマ処理時と同じ出力となっており、ガスノズルからは原料ガス、及び、不活性ガスが導入されている。このとき、ウェハに対しプラズマ処理が行われる。
【０００９】
図１１に示すように、従来の成膜方法では、ウェハ１６を静電チャックに吸着したときの温度とウェハの熱平衡時の温度Ｂとの差Ｄが大きいため、ウェハは静電チャックに保持された状態で熱膨張を起こす。しかし、静電チャックはほとんど熱膨張しないため、ウェハの裏面と静電チャックとの接触面がこすれ合ってしてしまう。図８に示すように、パーティクル（図８中の黒点）は、ウェハ１６の熱膨張の影響の少ない中央部より、熱膨張の影響が大きい周縁部の方が多く発生していることが分かる。このことからも、ウェハ１６の熱膨張がパーティクル発生の要因であると考えられる。
【００１０】
半導体製造工程のなかの露光行程においては、ウェハ裏面にパーティクルや傷があると、正確に露光を行えなくなり、半導体デバイス等の歩留まりが悪くなってしまう。このため、ウェハと静電チャックとの間に変位可能な応力緩和部を設け、ウェハの熱膨張による変位を吸収することにより、パーティクルや傷等の低減を図っていた。このような、静電吸着装置の一例が下記特許文献１に開示されている。
【００１１】
【特許文献１】特開２００２−１３４５９９号公報
【発明の開示】
【発明が解決しようとする課題】
【００１２】
しかしながら、上記特許文献１に開示される静電吸着装置では、変位可能な応力緩和部を軟らかい素材で形成しなければならないため、成膜後等に行うクリーニング時に発生する反応性の高いラジカルによるダメージを受けやすく、寿命が短いという問題がある。また、特殊な加工を要するため、加工に手間がかかり、さらに材料費もかかるため、コストが上昇するという問題がある。
【００１３】
このことから、本発明は、低コストでありながら、耐久性の高いウェハ裏面のパーティクル及び傷を低減する成膜方法、及び、この方法を適用した成膜装置を提供することを目的とする。
【課題を解決するための手段】
【００１４】
上記の課題を解決するための第１の発明（請求項１に対応）に係るプラズマ処理方法によれば、
プラズマ処理対象であるウェハを密閉空間を形成するチャンバの内部の静電チャックからなる保持手段に保持させ、前記チャンバ内部に不活性ガス、又は、プラズマ処理ガスのうち少なくとも一方を供給し、ＲＦ電源から供給されるＲＦパワーに基づき前記チャンバ内にＲＦ周波数の電磁波を入射して前記不活性ガス、又は、前記プラズマ処理ガスのうち少なくとも一方のプラズマを形成し、前記ウェハをプラズマ処理するプラズマ処理方法において、
プラズマ処理するウェハを静電チャック上に載置した後、不活性ガスを供給し、前記不活性ガスにＲＦパワーを掛けることでプラズマを形成し、前記プラズマからの輻射熱を用いて処理前にウェハを加熱し、前記ウェハの温度がプラズマ処理時のウェハ熱平衡温度に達したときに、静電チャックにウェハを吸着させて保持し、プラズマ処理ガスを導入してプラズマ処理を行う
ことを特徴とする。
【００１５】
上記の課題を解決するための第２の発明（請求項２に対応）に係るプラズマ処理方法によれば、第１の発明に係るプラズマ処理方法において、前記不活性ガスにＲＦ電源から供給するＲＦパワーはプラズマ処理時と同じ出力であることを特徴とする。
【００１６】
上記の課題を解決するための第３の発明（請求項３に対応）に係るプラズマ処理方法によれば、第１の発明に係るプラズマ処理方法において、前記不活性ガスにＲＦ電源から供給するＲＦパワーはプラズマ処理時より高い出力であることを特徴とする。
【００１７】
上記の課題を解決するための第４の発明（請求項４に対応）に係るプラズマ処理方法によれば、第１の発明ないし第３の発明のいずれかに係るプラズマ処理方法において、前記ウェハを前記ウェハ保持手段に保持させる前にプラズマ処理を開始し、前記ウェハの温度がプラズマ処理時の前記ウェハの熱平衡温度に達したときに前記ウェハを前記ウェハ保持手段に保持させることを特徴とする。
【００１８】
上記の課題を解決するための第５の発明（請求項５に対応）に係るプラズマ処理方法によれば、第１の発明ないし第４の発明のいずれかに係るプラズマ処理方法において、前記ウェハをプラズマ処理時よりプラズマ領域に接近させて昇温させることを特徴とする。
【００１９】
上記の課題を解決するための第６の発明（請求項６に対応）に係るプラズマ処理方法によれば、第１の発明ないし第５の発明のいずれかに係るプラズマ処理方法において、前記ウェハの温度を非接触で測定することを特徴とする。
【００２０】
上記の課題を解決するための第７の発明（請求項７に対応）に係るプラズマ処理装置によれば、
プラズマを発生させるプラズマ発生手段と、
プラズマ処理対象であるウェハを保持して冷却するウェハ保持手段と、
前記ウェハにバイアス電圧を印加するバイアス電圧印加手段と、
前記プラズマ発生手段とウェハ保持手段とバイアス電圧印加手段とを制御して、前記ウェハを前記プラズマ発生手段で発生させたプラズマで昇温させ、前記ウェハの温度がプラズマ処理時の前記ウェハの熱平衡温度に達したとき、前記ウェハ保持部材で前記ウェハを保持して冷却し、前記バイアス電圧印加手段で前記ウェハにバイアス電圧を印加してプラズマ処理を行わせる制御手段とを備えた
ことを特徴とする。
【００２１】
上記の課題を解決するための第８の発明（請求項８に対応）に係るプラズマ処理装置によれば、第７の発明に係るプラズマ処理装置において、前記制御手段は、前記ウェハを昇温させるときの前記プラズマ発生手段の出力をプラズマ処理時と同じ出力とすることを特徴とする。
【００２２】
上記の課題を解決するための第９の発明（請求項９に対応）に係る成膜装置によれば、第７の発明に係る成膜装置において、前記制御手段は、前記ウェハを昇温させるときの前記プラズマ発生手段の出力をプラズマ処理時より高い出力とすることを特徴とする。
【００２３】
上記の課題を解決するための第１０の発明（請求項１０に対応）に係るプラズマ処理装置によれば、第７の発明ないし第９の発明のいずれかに係るプラズマ処理装置において、前記制御手段は、前記ウェハ保持部材で前記ウェハを保持して冷却する前に、前記バイアス電圧印加手段で前記ウェハにバイアス電圧を印加してプラズマ処理を行うことを特徴とする。
【００２４】
上記の課題を解決するための第１１の発明（請求項１１に対応）に係るプラズマ処理装置によれば、第７の発明ないし第１０の発明のいずれかに係るプラズマ処理装置において、前記ウェハ保持手段の高さを昇降させる昇降手段を備え、前記制御手段は、前記昇降手段を上昇させて前記ウェハをプラズマ処理時よりプラズマ領域に接近させて昇温することを特徴とする。
【００２５】
上記の課題を解決するための第１２の発明（請求項１２に対応）に係るプラズマ処理装置によれば、第７の発明ないし第１２の発明のいずれかに係るプラズマ処理装置において、前記ウェハ保持手段は表面が凹凸状であることを特徴とする。
【発明の効果】
【００２６】
第１の発明及び第２の発明によれば、ウェハの熱膨張によるウェハの裏面とウェハ保持手段とのこすれを抑制することができ、ウェハ裏面のパーティクル及び傷の発生を低減することができる。また、通常の成膜装置で成膜の手順を調整するだけで実施すること可能なため、低コストでありながら、高い耐久性を実現することが可能である。
【００２７】
第３の発明によれば、不活性ガスにＲＦ電源から供給するＲＦパワーはプラズマ処理時より高い出力であるため、第１の発明の効果に加え、第２の発明に係るプラズマ処理方法より短時間でウェハを昇温させることができる。
【００２８】
第４の発明によれば、ウェハをウェハ保持手段に保持させる前にプラズマ処理を開始し、ウェハの温度がプラズマ処理時のウェハの熱平衡温度に達したときにウェハをウェハ保持手段に保持させるため、第１の発明ないし第３の発明の効果に加え、第２の発明に係るプラズマ処理方法より短時間でウェハを昇温させることができる。
【００２９】
第５の発明によれば、ウェハをプラズマ処理時よりプラズマ領域に接近させて昇温させるため、第１の発明ないし第４の発明の効果に加え、第２の発明に係るプラズマ処理方法より短時間でウェハを昇温させることができる。
【００３０】
第６の発明によれば、ウェハの温度を非接触で測定するため、ウェハの温度を正確に計測し、計測した温度に基づいてウェハを静電チャックに吸着させるタイミングを正確に定めることができる。
【００３１】
第７の発明及び第８の発明によれば、ウェハの熱膨張によるウェハの裏面とウェハ保持手段とのこすれを抑制することができ、ウェハ裏面のパーティクル及び傷の発生を低減することができる。また、通常のプラズマ処理装置でプラズマ処理の手順を調整するだけで実施すること可能なため、低コストでありながら、高い耐久性を実現することが可能である。さらに、制御装置によりこのプラズマ処理方法を自動で実施することが可能である。
【００３２】
第９の発明によれば、制御手段は、ウェハを昇温させるときのプラズマ発生手段の出力をプラズマ処理時より高い出力とすることにより、第７の発明及び第８の発明の効果に加え、第８の発明に係るプラズマ処理方法より短時間でウェハを昇温させることができる。
【００３３】
第１０の発明によれば、制御手段は、ウェハ保持部材でウェハを保持して冷却する前に、バイアス電圧印加手段でウェハにバイアス電圧を印加してプラズマ処理を行うことにより、第７の発明ないし第９の発明の効果に加え、第８の発明及び第８の発明に係るプラズマ処理方法より短時間でウェハを昇温させることができる。
【００３４】
第１１の発明によれば、ウェハ保持手段の高さを昇降させる昇降手段を備え、制御手段は、昇降手段を上昇させてウェハをプラズマ処理時よりプラズマ領域に接近させて昇温することにより、第７の発明ないし第１０の発明の効果に加え、第８の発明に係るプラズマ処理方法より短時間でウェハを昇温させることができる。
【００３５】
第１２の発明によれば、ウェハの温度を非接触で測定する測定装置を備えたことにより、ウェハの温度を正確に計測し、計測した温度に基づいてウェハを静電チャックに吸着させるタイミングを正確に定めることができる。
【００３６】
第１３の発明によれば、ウェハ保持手段は表面が凹凸状であることにより、第６の発明ないし第１０の発明の効果に加え、ウェハの裏面とウェハ保持手段との接触面積を小さくすることができるため、さらにパーティクル及び傷を低減することができる。
【発明を実施するための最良の形態】
【００３７】
本発明に係るプラズマ処理方法、及び、プラズマ処理装置の実施例について図１から図１０を用いて説明する。図１は実施例１ないし実施例３に係るプラズマ装置の構成図、図２は実施例１に係るプラズマ処理方法のタイムチャート、図３は実施例２に係るプラズマ処理方法のタイムチャート、図４は実施例３に係るプラズマ処理方法のタイムチャート、図５は実施例４に係るプラズマ処理方法のタイムチャート、図６は実施例４に係るプラズマ処理装置の構成図、図７は実施例５に係るプラズマ処理装置の構成図、図８は従来のプラズマ処理方法でプラズマ処理したウェハの裏面のパーティクル分布図、図９は実施例１に係るプラズマ処理方法でプラズマ処理したウェハの裏面のパーティクル分布図、図１０は従来のプラズマ処理方法でプラズマ処理したウェハの裏面のパーティクルの数と実施例１に係るプラズマ処理方法でプラズマ処理したウェハの裏面のパーティクルの数とを比較した図、図１１は従来のプラズマ処理方法の特性図である。
【実施例１】
【００３８】
以下、本実施例に係るプラズマ処理装置の構成について説明する。図１に示すように、プラズマ処理装置１０は、内部を真空に維持する真空容器１１を有している。この真空容器１１の外側の上部には真空容器１１内にプラズマ１２を発生させるＲＦアンテナ１３が設置されている。このＲＦアンテナ１３には高周波電源であるＲＦ電源１４から電力が供給されている。本実施例では、ＲＦアンテナ１３、及び、ＲＦ電源１４が課題を解決するための手段に記載するプラズマ発生手段である。
【００３９】
真空容器１１の側面上部には、真空容器１１内にガスを導入する管であるガスノズル１５が設置されている。真空容器１１内にはウェハ１６を載置する支持台１７が設置されている。この支持台１７の上部は、ウェハ１６を静電気力で吸着して保持する静電チャック１８が設置されている。
【００４０】
静電チャック１８は、内部に電極１９が内蔵されている。この電極１９には、直流電源である静電チャック電源２０から電力が供給されており、これにより静電気力を発生させることができる。本実施例では、静電チャック１８、及び、電極１９が課題を解決するための手段に記載するウェハ保持手段であるが、ウェハ保持手段には真空チャック等を用いることも可能である。
【００４１】
また、電極１９には、高周波電源であるＬＦ電源２１からも電力が供給されており、これによりウェハ１６にバイアス電圧が印加され、真空容器１１中に発生するイオンをウェハ１６側に引き込むことができる。本実施例では、ＬＦ電源２１、及び、電極１９が課題を解決するための手段に記載するバイアス電圧印加手段である。
【００４２】
静電チャック１８の下部には、静電チャック１８を支持する支持台１７がある。この支持台１７の内部には、冷媒を流通させることができる冷媒流路２２が設けられている。この冷媒流路２２に流した冷媒により支持台１７が冷却され、冷却された支持台１７は静電チャック１８を冷却し、最終的にはウェハ１６が冷却される。
【００４３】
次に、本実施例に係るプラズマ処理方法について図２に基づいて説明する。ここで、プラズマ処理とは、成膜処理、及び、エッチング処理等を言う。図２中のグラフは、横軸は時間（ｔ１）を示し、縦軸はウェハ１６の温度、ＲＦ電源１４の出力（ＲＦパワー）、ＬＦ電源２１の出力、及び、静電チャック電源２０の出力を示す。
【００４４】
始めに、時間（０≦ｔ１＜ｔ１ａ）において、ＲＦ電源１４の出力はプラズマ１２を維持できる程度の出力となっている。また、ガスノズル１５からは不活性ガスが真空容器１１内に導入されている。このとき、ウェハ１６の搬入及び搬出等を行う。搬入されたウェハ１６は静電チャック１８の上部に載置されるが、ここではウェハ１６は静電チャック１８には保持されていない状態である。すなわち、ウェハ１６と静電チャック１８は密着していないフリーな状態であるため、ウェハ１６が静電チャック１８に対して自由に熱膨張することができる状態である。
【００４５】
時間（ｔ１ａ≦ｔ１＜ｔ１ｂ）において、ＲＦ電源１４の出力はプラズマ処理時と同じ出力となっている。また、ガスノズル１５からは不活性ガスが真空容器１１内に導入されている。このとき、時間（ｔ１ａ≦ｔ１＜ｔ１ｂ）を、従来のプラズマ処理方法における時間（ｔ０ａ≦ｔ０＜ｔ０ｂ）（図１１参照）よりも長くすることにより、ウェハ１６の温度をプラズマ処理時の熱平衡温度Ｂまで急速に近づけることができる。すなわち、ＲＦ電源１４から供給されるプラズマ処理時と同じＲＦパワーに基づいて、真空容器１１内にＲＦ周波数の電磁波を入射し、これにより形成された不活性ガスのプラズマの輻射熱でウェハを１６加熱することで、ウェハ１６の温度をプラズマ処理時の熱平衡温度Ｂまで急速に近づけることができる。
【００４６】
時間（ｔ１ｂ≦ｔ１＜ｔ１ｃ）において、ＲＦ電源１４、及び、静電チャック電源２０の出力はプラズマ処理時と同じ出力となっている。また、ガスノズル１５からは不活性ガスが真空容器１１内に導入されている。このとき、静電チャック１８にウェハ１６が吸着して保持され成膜を開始できる状態となる。すなわち、ウェハ１６がプラズマ処理時の熱平衡温度に達したときに、ウェハ１６を静電チャック１８に保持する。
【００４７】
時間（ｔ１ｃ≦ｔ１）において、ＲＦ電源１４、ＬＦ電源２１、及び、静電チャック電源２０の出力はプラズマ処理時と同じ出力となっている。また、ガスノズル１５からは原料ガス（プラズマ処理ガス）、及び、不活性ガスが真空容器１１内に導入されている。このとき、ウェハ１６に対しプラズマ処理が行われる。プラズマ処理の終了後、再び始めの行程に戻る。
【００４８】
本実施例に係るプラズマ処理方法は、ＲＦ電源１４、ＬＦ電源２１及び静電チャック電源２０の出力を制御する制御装置（図示省略）を用いて自動で行うこともできる。また、ウェハ１６の温度を非接触で測定する測定装置を設置することも可能である。
【００４９】
さらに、本実施例に係るプラズマ処理方法は、成膜処理、及び、エッチング処理のどちらにも適用することも可能である。すなわち、ウェハ１６が成膜時の熱平衡温度に達したときに、ウェハ１６を静電チャック１８に保持し、ウェハ１６に対して成膜処理、又は、エッチング処理を施すようにすればよい。このように、本実施例に係るプラズマ処理方法は、成膜処理、及び、エッチング処理等を含むプラズマ処理に対して広く適用することが可能である。
【００５０】
次に、本実施例に係るプラズマ処理方法と従来のプラズマ処理方法との比較を行う。図８に示すように、従来のプラズマ処理方法では、ウェハ１６の熱膨張の影響の少ない中央部より、熱膨張の影響が大きい周縁部の方がパーティクル（図８中の黒点）の発生が多くなっている。
【００５１】
これに対し、図９に示すように、本実施例に係るプラズマ処理方法では、ウェハ１６の裏面の全面にわたってパーティクル（図９中の黒点）の発生が減少していることがわかる。すなわち、熱膨張の影響の大きい周縁部においてもパーティクルの発生が減少していることが分かる。
【００５２】
図９に示す本実施例に係るプラズマ処理方法でプラズマ処理したウェハ１６の裏面のパーティクルの数の測定結果と、図８に示す従来のプラズマ処理方法でプラズマ処理したウェハ１６の裏面のパーティクルの数の測定結果とを比較すると、図１０に示すように、本実施例のパーティクル数は従来の方法のパーティクル数の約２６分の１に大幅に減少していることが分かる。
【００５３】
このように、本実施例に係るプラズマ処理方法、及び、プラズマ処理装置によれば、ウェハ１６を静電チャック１８に吸着したときの温度とウェハの熱平衡時の温度Ｂ（図２参照）との差ｄ２（図２参照）が小さいため、ウェハ１６の熱膨張によるウェハ１６の裏面と静電チャック１８とのこすれを抑制することができ、ウェハ１６の裏面のパーティクル及び傷の発生を低減することができる。また、通常のプラズマ処理装置１０でプラズマ処理の手順を調整するだけで実施すること可能なため、低コストでありながら、高い耐久性を実現することが可能である。
【実施例２】
【００５４】
以下、本実施例に係るプラズマ処理方法について図３に基づいて説明する。図３中のグラフは、横軸は時間（ｔ２）を示し、縦軸はウェハ１６の温度、ＲＦ電源１４の出力、ＬＦ電源２１の出力、及び、静電チャック電源２０の出力を示す。また、本実施例に係るプラズマ処理方法が適用されるプラズマ処理装置１０の構成は、実施例１に係るプラズマ処理装置１０の構成と同様である。
【００５５】
始めに、時間（０≦ｔ２＜ｔ２ａ）において、ＲＦ電源１４の出力はプラズマ１２を維持できる程度の出力となっている。また、ガスノズル１５からは不活性ガスが真空容器１１内に導入されている。このとき、ウェハ１６の搬入及び搬出等を行う。
【００５６】
時間（ｔ２ａ≦ｔ２＜ｔ２ｂ）において、ＲＦ電源１４の出力はプラズマ処理時よりも高い出力となっている。また、ガスノズル１５からは不活性ガスが真空容器内１１に導入されている。このとき、ＲＦ電源１４の出力を、実施例１の時間（ｔ１ａ≦ｔ１＜ｔ１ｂ）におけるＲＦ電源１４の出力よりも高くすることにより、ウェハ１６の温度をプラズマ処理時の熱平衡温度Ｂまで急速に近づけることができる。
【００５７】
時間（ｔ２ｂ≦ｔ２＜ｔ２ｃ）において、ＲＦ電源１４、及び、静電チャック電源１８の出力は成膜時と同じ出力となっている。また、ガスノズル１５からは不活性ガスが真空容器１１内に導入されている。このとき、静電チャック１８にウェハ１６が吸着して保持され成膜を開始できる状態となる。
【００５８】
時間（ｔ２ｃ≦ｔ２）において、ＲＦ電源１４、ＬＦ電源２１、及び、静電チャック電源２０の出力はプラズマ処理時と同じ出力となっている。また、ガスノズル１５からは原料ガス（プラズマ処理ガス）、及び、不活性ガスが真空容器１１内に導入されている。このとき、ウェハ１６に対しプラズマ処理が行われる。プラズマ処理の終了後、再び始めの行程に戻る。
【００５９】
本実施例に係るプラズマ処理方法は、ＲＦ電源１４、ＬＦ電源２１及び静電チャック電源２０の出力を制御する制御装置（図示省略）を用いて自動で行うこともできる。また、ウェハ１６の温度を非接触で測定する測定装置を設置することも可能である。
【００６０】
さらに、本実施例に係るプラズマ処理方法は、成膜処理、及び、エッチング処理のどちらにも適用することも可能である。すなわち、ウェハ１６が成膜時の熱平衡温度に達したときに、ウェハ１６を静電チャック１８に保持し、ウェハ１６に対して成膜処理、又は、エッチング処理を施すようにすればよい。このように、本実施例に係るプラズマ処理方法は、成膜処理、及び、エッチング処理等を含むプラズマ処理に対して広く適用することが可能である。
【００６１】
このように、本実施例に係るプラズマ処理方法、及び、プラズマ処理装置によれば、実施例１に係るプラズマ処理方法、及び、プラズマ処理装置よりも、短時間でウェハ１６を昇温させることができる。
【実施例３】
【００６２】
以下、本実施例に係るプラズマ処理方法について図４に基づいて説明する。図４中のグラフは、横軸は時間（ｔ３）を示し、縦軸はウェハ１６の温度、ＲＦ電源１４の出力、ＬＦ電源２１の出力、及び、静電チャック電源２０の出力を示す。また、本実施例に係るプラズマ処理方法が適用されるプラズマ処理装置１０の構成は、実施例１に係るプラズマ処理装置１０の構成と同様である。
【００６３】
始めに、時間（０≦ｔ３＜ｔ３ａ）において、ＲＦ電源１４の出力はプラズマ１２を維持できる程度の出力となっている。また、ガスノズル１５からは不活性ガスが真空容器内１１に導入されている。このとき、ウェハ１６の搬入及び搬出等を行う。
【００６４】
時間（ｔ３ａ≦ｔ３＜ｔ３ｂ）において、ＲＦ電源１４の出力はプラズマ処理時と同じ出力となっている。また、ガスノズル１５からは不活性ガスが真空容器１１内に導入されている。
【００６５】
時間（ｔ３ｂ≦ｔ３＜ｔ３ｃ）において、ＲＦ電源１４、及び、ＬＦ電源２１の出力はプラズマ処理時と同じ出力となっている。また、ガスノズル１５からは不活性ガスが真空容器内１１に導入されている。このように、ＬＦ電源２１をプラズマ処理時と同じ出力としてウェハ１６をスパッタし、かつウェハ１６にジュール熱が加えることにより、ウェハ１６の温度を成膜時の熱平衡温度Ｂまで急速に近づけることができる。
【００６６】
時間（ｔ３ｃ≦ｔ３）において、ＲＦ電源１４、ＬＦ電源２１、及び、静電チャック電源２０の出力はプラズマ処理時と同じ出力となっている。また、ガスノズル１５からは原料ガス（プラズマ処理ガス）、及び、不活性ガスが真空容器１１内に導入されている。このとき、静電チャック１８にウェハ１６が吸着して保持され、ウェハ１６に対しプラズマ処理が行われる。プラズマ処理の終了後、再び始めの行程に戻る。
【００６７】
本実施例に係る成膜方法は、ＲＦ電源１４、ＬＦ電源２１及び静電チャック電源２０の出力を制御する制御装置（図示省略）を用いて自動で行うこともできる。また、ウェハ１６の温度を非接触で測定する測定装置を設置することも可能である。
【００６８】
さらに、本実施例に係るプラズマ処理方法は、成膜処理、及び、エッチング処理のどちらにも適用することも可能である。すなわち、ウェハ１６が成膜時の熱平衡温度に達したときに、ウェハ１６を静電チャック１８に保持し、ウェハ１６に対して成膜処理、又は、エッチング処理を施すようにすればよい。このように、本実施例に係るプラズマ処理方法は、成膜処理、及び、エッチング処理等を含むプラズマ処理に対して広く適用することが可能である。
【００６９】
このように、本実施例に係るプラズマ処理方法、及び、プラズマ処理装置によれば、実施例１及び実施例２に係るプラズマ処理方法、及び、プラズマ処理装置より短時間でウェハ１６を昇温させることができる。
【実施例４】
【００７０】
以下、本実施例に係るプラズマ処理方法について図５に基づいて説明する。図５中のグラフは、横軸は時間（ｔ４）を示し、縦軸はウェハ１６の温度、ＲＦ電源１４の出力、ＬＦ電源２１の出力、静電チャック電源２０の出力、及び、支持台１７の高さを示す。
【００７１】
また、本実施例に係るプラズマ処理方法が適用されるプラズマ処理装置１０の構成は、実施例１に係るプラズマ処理装置１０の構成に支持台１７の高さを昇降できる昇降機構２３を設けたものである。図６に示すように、この昇降機構２３は、支持台１７の下部に設置され、上下方向に伸縮することが可能である。本実施例では、昇降機構２３が課題を解決するための手段に記載する昇降手段である。
【００７２】
始めに、時間（０≦ｔ４＜ｔ４ａ）において、ＲＦ電源１４の出力はプラズマ１２を維持できる程度の出力となっている。また、ガスノズル１５からは不活性ガスが真空容器１１内に導入されている。このとき、ウェハ１６の搬入及び搬出等を行う。
【００７３】
時間（ｔ４ａ≦ｔ４＜ｔ４ｂ）において、ＲＦ電源１４の出力はプラズマ処理時よりも高い出力となっており、支持台１７の高さもプラズマ処理時よりも高い位置となっている。また、ガスノズル１５からは不活性ガスが真空容器１１内に導入されている。図６に示すウェハ１６からプラズマ１２までの距離ｈと、実施例１のウェハ１６からプラズマ１２までの距離Ｈ（図１参照）とを比べるとｈ＜Ｈとなっている。このように、ウェハ１６とプラズマ１２の距離が近いため、プラズマ１２のからの輻射熱が効率よくウェハ１６に伝わり、ウェハ１６の温度をプラズマ処理時の熱平衡温度Ｂまで急速に近づけることができる。
【００７４】
時間（ｔ４ｂ≦ｔ４＜ｔ４ｃ）において、ＲＦ電源１４、及び、静電チャック電源１８の出力はプラズマ処理時と同じ出力となっており、支持台１７の高さもプラズマ処理時の高さとなっている。また、ガスノズル１５からは不活性ガスが真空容器内１１に導入されている。このとき、静電チャック１８にウェハ１６が保持されプラズマ処理を開始できる状態となる。
【００７５】
時間（ｔ４ｃ≦ｔ４）において、ＲＦ電源１４、ＬＦ電源２１、及び、静電チャック電源２０の出力はプラズマ処理時と同じ出力となっており、支持台１７の高さもプラズマ処理時と同じ高さとなっている。また、ガスノズル１５からは原料ガス（プラズマ処理ガス）、及び、不活性ガスが真空容器内１１に導入されている。このとき、ウェハ１６に対しプラズマ処理が行われる。プラズマ処理の終了後、再び始めの行程に戻る。
【００７６】
本実施例に係る成膜方法は、ＲＦ電源１４、ＬＦ電源２１、静電チャック電源２０の出力、及び、支持台１７の高さを制御する制御装置（図示省略）を用いて自動で行うこともできる。また、ウェハ１６の温度を非接触で測定する測定装置を設置することも可能である。
【００７７】
さらに、本実施例に係るプラズマ処理方法は、成膜処理、及び、エッチング処理のどちらにも適用することも可能である。すなわち、ウェハ１６が成膜時の熱平衡温度に達したときに、ウェハ１６を静電チャック１８に保持し、ウェハ１６に対して成膜処理、又は、エッチング処理を施すようにすればよい。このように、本実施例に係るプラズマ処理方法は、成膜処理、及び、エッチング処理等を含むプラズマ処理に対して広く適用することが可能である。
【００７８】
このように、本実施例に係るプラズマ処理方法、及び、プラズマ処理装置によれば、実施例１係るプラズマ処理方法、及び、プラズマ処理装置より短時間でウェハ１６を昇温させることができる。
【実施例５】
【００７９】
以下、本実施例に係るプラズマ処理方法について図７に基づいて説明する。本実施例に係るプラズマ処理方法が適用されるプラズマ処理装置１０の構成は、実施例１ないし実施例４のいずれかに係るプラズマ処理装置１０の構成にウェハ１６との接触面積が少ない表面凹凸状静電チャック２４を用いたものである。
【００８０】
図７に示すように、この表面凹凸状静電チャック２４は断面が凹部２５及び凸部２６とからなる凹凸状になっている。凸部２５の上面は平面で、高さは全て同じになっており、これら凸部２５の上面でウェハ１６を支持するようになっている。この凹部２５には熱伝導率を高めるために不活性ガスを導入しても良い。
【００８１】
以下、本実施例に係るプラズマ処理装置１０において実施例１ないし実施例４のいずれかに係るプラズマ処理方法を適用してウェハ１６に対しプラズマ処理を行う。
【００８２】
このように、本実施例に係るプラズマ処理方法、及び、プラズマ処理装置によれば、ウェハ１６の裏面と表面凹凸状静電チャック２４との接触面積を小さくすることができるため、さらにパーティクル及び傷を低減することができる。
【産業上の利用可能性】
【００８３】
本発明は、ウェハを静電チャックで保持してプラズマ処理を行う際、ウェハ裏面のパーティクル及び傷を抑制する場合に特に有効である。
【図面の簡単な説明】
【００８４】
【図１】実施例１ないし実施例３に係るプラズマ装置の構成図である。
【図２】実施例１に係るプラズマ処理方法のタイムチャートである。
【図３】実施例２に係るプラズマ処理方法のタイムチャートである。
【図４】実施例３に係るプラズマ処理方法のタイムチャートである。
【図５】実施例４に係るプラズマ処理方法のタイムチャートである。
【図６】実施例４に係るプラズマ処理装置の構成図である。
【図７】実施例５に係るプラズマ処理装置の構成図である。
【図８】従来のプラズマ処理方法でプラズマ処理したウェハの裏面のパーティクル分布図である。
【図９】実施例１に係るプラズマ処理方法でプラズマ処理したウェハの裏面のパーティクル分布図である。
【図１０】従来のプラズマ処理方法でプラズマ処理したウェハの裏面のパーティクルの数と実施例１に係るプラズマ処理方法でプラズマ処理したウェハの裏面のパーティクルの数とを比較した図である。
【図１１】従来のプラズマ処理方法の特性図である。
【符号の説明】
【００８５】
１０  プラズマ処理装置
１１  真空容器（チャンバ）
１２  プラズマ
１３  ＲＦアンテナ
１４  ＲＦ電源
１５  ガスノズル
１６  ウェハ
１７  支持台
１８  静電チャック
１９  電極
２０  静電チャック電源
２１  ＬＦ電源
２２  冷媒流路
２３  昇降機構
２４  表面凹凸状静電チャック
２５  凹部
２６  凸部
【図１】
2007217733.tif 000003
【図２】
2007217733.tif 000004
【図３】
2007217733.tif 000005
【図４】
2007217733.tif 000006
【図５】
2007217733.tif 000007
【図６】
2007217733.tif 000008
【図７】
2007217733.tif 000009
【図８】
2007217733.tif 000010
【図９】
2007217733.tif 000011
【図１０】
2007217733.tif 000012
【図１１】
2007217733.tif 000013